(57)【要約】【課題】赤外線リモコン信号の受信性に優れた吐水装置を提供する。【解決手段】水を吐出し、赤外線信号を発信する送信部２０を有するヘッド部２と、前記赤外線信号が透過可能な受信窓４４を有し、前記受信窓４４を透過した前記赤外線信号を受信する受信部４０を格納するケーシング４と、前記ヘッド部２への前記水の供給量を調節する弁部６と、前記受信部４０が受信した前記赤外線信号の情報に基づいて前記弁部６の動作を制御する制御部５と、前記弁部６から前記ヘッド部に前記水を供給するホース部３と、を備え、前記受信窓４４は、カウンター１０の前面、または下面に配置されることを特徴とする吐水装置を提供する。【選択図】  図１
2011074596.tif 000002
【特許請求の範囲】
【請求項１】
水を吐出し赤外線信号を発信する送信部を有するヘッド部と、
前記赤外線信号が透過可能な受信窓を有し、
前記受信窓を透過した前記赤外線信号を受信する受信部を格納する、
水平面を有し水平面に物を置くことのできるカウンターと、
前記ヘッド部への前記水の供給量を調節する弁部と、
前記受信部が受信した前記赤外線信号の情報に基づいて前記弁部の動作を制御する制御部と、
前記弁部から前記ヘッド部に前記水を供給するホース部と、
を備え、
前記受信窓は、前記カウンターの前面、または下面に配置されることを特徴とする吐水装置。
【請求項２】
前記カウンターは、前記受信窓を複数有することを特徴とする請求項１記載の吐水装置。
【請求項３】
前記カウンターは、前記弁部を格納することを特徴とする請求項１〜２のいずれか１つに記載の吐水装置。
【請求項４】
前記受信窓は、表面に親水性を有していることを特徴とする請求項１〜３のいずれか１つに記載の吐水装置。
【請求項５】
前記受信窓は、表面に撥水性を有していることを特徴とする請求項１〜３のいずれか１つに記載の吐水装置。
【発明の詳細な説明】
【技術分野】
【０００１】
本発明は、吐水装置に関し、より詳細には赤外線信号を送受信することにより吐止水や吐水流量などを制御する吐水装置に関する。
【背景技術】
【０００２】
これまで、使用者の操作性を向上させるために、電波や赤外線などのリモコン信号を用いて湯温や湯量を制御するシャワー装置が提案されている（例えば、特許文献１）。リモコンの送信部は、例えばシャワー水が吐水されるヘッド部に設けることができ、これにより使用者はシャワーヘッドを持ちながらシャワーの吐止水や流量調節などの操作を行うことができる。
【０００３】
各種リモコンの中で、赤外線リモコンは、安価である、多くの情報を乗せることができる、ノイズの影響を受けにくく誤動作が少ない、という特徴を有し、家電製品などに広く用いられている。
【０００４】
ここで、赤外線リモコンを用いる場合には、受信側にフォトダイオードなどの受信素子を設けて赤外線を感知するが、これら受信素子は、赤外線のみならず可視光をも感知することがある。これにより、誤動作が生じることがある。このため、一般に、受信側には可視光を遮断するフィルタ（受信窓）が設けられている。受信窓は、例えば受信素子を覆う部材の一部に設けられ、受信素子は受信窓を透過した赤外線を感知する。
【０００５】
しかしながら、受信窓は湯水が直接かかりやすいところに配置されることが多いため、受信窓には水が溜まりやすくなる。そのため、受信窓に水垢が発生しやすく、水垢による赤外線信号の受信不良を起こすおそれがある。
【０００６】
さらに、受信窓を水栓装置や周辺部材の上部に配置された場合には、受信窓上に洗浄剤を置かれたりすることで、受信不良を起こすおそれがある。
【先行技術文献】
【特許文献】
【０００７】
【特許文献１】特開昭６１−２７４４７号公報
【発明の概要】
【発明が解決しようとする課題】
【０００８】
本発明は、赤外線リモコン信号の受信性に優れた吐水装置を提供する。
【課題を解決するための手段】
【０００９】
本発明の一態様によれば、水を吐出し、赤外線信号を発信する送信部を有するヘッド部と、前記赤外線信号が透過可能な受信窓を有し、前記受信窓を透過した前記赤外線信号を受信する受信部を格納するケーシングと、前記ヘッド部への前記水の供給量を調節する弁部と、前記受信部が受信した前記赤外線信号の情報に基づいて前記弁部の動作を制御する制御部と、前記弁部から前記ヘッド部に前記水を供給するホース部と、を備え、前記受信窓は、前記カウンターの前面、または下面に配置されることを特徴とする吐水装置が提供される。
【発明の効果】
【００１０】
本発明によれば、赤外線リモコン信号の受信性に優れた吐水装置が提供される。
【図面の簡単な説明】
【００１１】
【図１】本発明の実施形態に係る吐水装置１を例示する模式斜視図である。
【図２】吐水装置１の主構成を例示するブロック図である。
【図３】吐水装置１を浴室に配置した状況を例示する模式斜視図である。
【図４】ヘッド部２を例示する模式図である。
【図５】操作部２１を例示する模式平面図である。
【図６】受信窓４４の他の構成を例示する模式図である。
【図７】ケーシング４及びその周辺の構成を例示する模式図である。
【図８】ケーシング４及びその周辺の構成を例示する模式図である。
【図９】ケーシング４及びその周辺の構成を例示する模式図である。
【図１０】カウンター１０及びその周辺の構成を例示する断面図である。
【発明を実施するための形態】
【００１２】
第１の発明は、水を吐出し、赤外線信号を発信する送信部を有するヘッド部と、前記赤外線信号が透過可能な受信窓を有し、前記受信窓を透過した前記赤外線信号を受信する受信部を格納するケーシングと、前記ヘッド部への前記水の供給量を調節する弁部と、前記受信部が受信した前記赤外線信号の情報に基づいて前記弁部の動作を制御する制御部と、前記弁部から前記ヘッド部に前記水を供給するホース部と、を備え、前記受信窓は、前記カウンターのの前面、または下面に配置されることを特徴とする吐水装置である。  
この吐水装置によれば、赤外線リモコン信号の受信性に優れた吐水装置が提供される。
【００１３】
第２の発明は、第１の発明において、前記ケーシングは、前記受信窓を複数有することを特徴とする吐水装置である。  
この吐水装置によれば、赤外線信号の受信性能がさらに向上する。
【００１４】
第３の発明は、第１〜２のいずれか１つの発明において、前記カウンターは、前記弁部を格納することを特徴とする吐水装置である。  
この吐水装置によれば、受信部と制御部とを結ぶ配線や、制御部と弁部とを結ぶ配線などが外部に露出しないようにすることができる。このため、カウンターにおいて部材間の接合部を低減することができ、カウンター内部へ水が進入する可能性を低減することができる。これにより、カウンター内の構成要素や配線の汚損等を抑制することができる。
【００１５】
第４の発明は、第１〜３のいずれか１つの発明において、前記受信窓は、表面に親水性を有していることを特徴とする吐水装置である。  
この吐水装置によれば、受信窓の水滴の影響を少なくすることができ、水使用環境での赤外線信号の受信不良を防ぐことができる。
【００１６】
第５の発明は、第１〜３のいずれか１つの発明において、前記受信窓は、表面に撥水性を有していることを特徴とする吐水装置である。  
この吐水装置によれば、受信窓の水滴の影響を少なくすることができ、水使用環境での赤外線信号の受信不良を防ぐことができる。
【００１７】
以下、図面を参照し、本発明の実施形態について説明する。なお、各図面中、同様の構成要素には同一の符号を付して詳細な説明は適宜省略する。  
図１は、本発明の実施形態に係る吐水装置１を例示する模式斜視図である。  
図２は、吐水装置１の主構成を例示するブロック図である。  
図３は、吐水装置１を浴室に配置した状況を例示する模式斜視図である。
【００１８】
図１〜図３に表したように、本実施形態に係る吐水装置１は、浴室のシャワー装置などに適用することができ、水を吐出し、赤外線信号を発信する送信部２０を有するヘッド部２と、赤外線信号が透過可能な受信窓４４を有し、受信窓４４を透過した赤外線信号を受信する受信部４０を格納するカウンター１０と、ヘッド部２への水の供給量を調節する弁部６と、受信部４０が受信した赤外線信号の情報に基づいて弁部６の動作を制御する制御部５と、弁部６からヘッド部２に水を供給するホース部３と、を備える。また、ヘッド部２は、操作部２１を有する。使用者は、操作部２１を操作して吐止水や吐水流量などの指示情報を入力し、送信部２０は、この入力情報に応じた赤外線信号を発信する。送信部２０から発信された赤外線信号は、直接受信窓４４の方向に進むこともあり、また浴室１００などの天井面１０３、床面１０１、壁面１０２などで反射して受信窓４４の方向に進むこともある。そして、受信部４０は、受信窓４４を透過した赤外線信号を受信して、この赤外線信号を制御部５に伝送する。制御部５は、受理した赤外線信号に基づいて弁部６の動作を制御する。これにより、吐止水や吐水流量などが制御される。なお、本願明細書において「水」という場合には、冷水のみならず、加熱された温水や湯も含むものとする。
図３に表したように、吐水装置１は、浴室１００において壁面１０２のうち浴槽１０４や照明灯１０５の周辺に設けることができる。吐水装置１の周辺には、鏡１０６や図示しない石鹸置きなどを設けることができる。これにより、使用者は照明灯１０５から照明を受け、鏡１０６を見ながら身体の洗浄を行うことができ、また洗浄後速やかに浴槽１０４に入ることができる。また、吐水装置１は、浴室のサイズや使用形態などにより他の任意の箇所に設けることができる。
【００１９】
ここで、本実施形態において、受信窓４４は前記カウンターの前面、または下面に配置される。「水平方向」とは、地球の重力の方向に対して垂直な方向である。図１では、カウンターの前面部分が傾斜面となっており、受信窓４４の略全体も傾斜面となっている。すなわち、受信窓４４は水平方向に対して傾斜して設けられている。かかる構成により、受信窓４４上の水は傾斜した受信窓４４を伝って鉛直下方に流れやすくなる。このため、受信窓４４に水が溜まりにくくなり、受信窓４４に水垢が発生することを抑制することができる。これにより、水垢による赤外線信号の受信不良を抑制することができ、受信性能が適切に確保される。
【００２０】
次に、各構成要素について詳細に説明する。  
図４は、ヘッド部２を例示する模式図である。図４（Ａ）及び（Ｃ）は模式側面図であり、図４（Ｂ）及び（Ｄ）はそれぞれ図４（Ａ）及び（Ｃ）に対応した模式平面図である。
【００２１】
図４（Ａ）〜（Ｄ）に表したように、送信部２０は、ヘッド部２において、把持部２Ａ（使用者が把持する部分）よりも先端側に設けることができる。これにより、使用者がヘッド部２を使用する際に送信部２０が使用者の手で隠れる可能性が低くなり、送信部２０から赤外線信号を良好に発信することができる。送信部２０は、例えば赤外線ＬＥＤ（ＬＩＧＨＴ  ＥＭＩＴＴＩＮＧ  ＤＩＯＤＥ：発光ダイオード）などの赤外線発光素子を有することができる。送信部２０は、単数または複数設けることができるが、複数設けることにより次に説明するように赤外線信号の受信性能が向上する。
【００２２】
ヘッド部２及びホース部３を有するハンドシャワーは、一般に使用時に自由に位置が変化する。このため、送信部２０の位置も変化し、その結果赤外線信号の送信方向が変化する。これにより、受信窓４４の方向に赤外線信号が適切に送信されない可能性がある。
【００２３】
そこで、図４（Ａ）〜（Ｄ）に表したように、ヘッド部２は２つの送信部２０Ａ、２０Ｂを有し、送信部２０Ａからの送信方向と送信部２０Ｂからの送信方向は、異なる方向、とりわけ略反対の方向（略１８０度の差を有する方向）となる構成にすることができる。
【００２４】
例えば、図４（Ａ）及び（Ｂ）に表したように、送信部２０Ａは吐水面２Ｂ側に設け、送信部２０Ｂは吐水面２Ｂと反対の側に設けることができる。この場合、送信部２０Ａは水の吐出方向に赤外線信号を発信し、送信部２０Ｂはこれと略反対の方向に赤外線信号を発信する。送信部２０Ａ、２０Ｂをこのように配置することにより、送信部２０Ａ及び送信部２０Ｂのいずれかから直接受信窓４４に向けて赤外線信号が発信される可能性が高くなる。また、反射回数を減らして赤外線信号が受信窓４４に導かれる可能性が高くなる。すなわち、赤外線信号を浴室の床面、天井面、壁面などに反射させる回数を減らすことができる。例えば、床面で反射させた後にさらに天井面で反射させて赤外線信号を受信窓４４の方向に導くなどの「２回反射」を利用することなく、床面または天井面での「１回反射」を利用することができる。これにより、赤外線信号は良好に受信部４０に到達することができる。換言すれば、受信部４０は赤外線信号を良好に受信することができる。
【００２５】
また、図４（Ｃ）及び（Ｄ）に表したように、送信部２０Ａはヘッド部２の先端部２Ｃに設け、送信部２０Ｂは把持部２Ａの近傍に設けることができる。この場合、送信部２０Ａは把持部２Ａから先端部２Ｃに向かう方向に赤外線信号を発信し、送信部２０Ｂはこれと略反対の方向に赤外線信号を発信する。送信部２０Ａ、２０Ｂをこのように配置することにより、図４（Ａ）及び（Ｂ）に係る例と同様に、受信部４０は赤外線信号を良好に受信することができる。
【００２６】
次に、図５は、操作部２１を例示する模式平面図である。  
図５（Ａ）に表したように、操作部２１は、「切」ボタン２１Ａと、流調ボタン２１Ｂと、を有することができる。流調ボタン２１Ｂは多段階式であり、使用者が流調ボタン２１Ｂを押すごとに段階的に流量が大きくなり、さらに押すと段階的に流量が小さくなる。また、「切」スイッチ２１Ａを押すと吐水は中止される。
【００２７】
あるいは、図５（Ｂ）に表したように、操作部２１は、「切」スイッチ２１Ａと、流量アップボタン２１Ｃと、流量ダウンボタン２１Ｄと、を有することができる。この場合、使用者が流量アップボタン２１Ｃを押すと段階的に流量が大きくなり、流量ダウンボタン２１Ｄを押すと段階的に流量が小さくなる。「切」ボタン２１Ａについては、前述した通りである。
【００２８】
なお、送信部２０を３つ以上設け、それぞれの送信部２０は異なる方向に赤外線信号を発信する構成にしてもよい。これにより、受信性能はさらに向上する。
【００２９】
ヘッド部２またはヘッド部２の周辺には、操作部２１や送信部２０に電気を供給する電源部（図示せず）を設けてもよい。電源としては、電池や発電機が挙げられる。発電機は、例えば水車を有し、水流により水車を回転させて発電する発電機が挙げられる。この場合、発電機は水の流路、例えば把持部２Ａ内の給水路、に設けることができる。また、電源部は、発電機で発電された電気を貯蔵するキャパシタなどの蓄電器をさらに有してもよい。蓄電器を設けることにより、水流がなく発電機が発電できないときでも、蓄電器の電気を用いて吐止水等の各種操作を行うことが可能となる。なお、使用者が操作部２１のボタンを押したときだけ通電するような構成にすることにより、節電が図られる。
【００３０】
また、図６は、ケーシング４及びカウンター１０とその内部構成を例示する模式図である。
【００３１】
図６に示したように、カウンター１０には吐止水や流量調節に係る操作部４１を設けてもよい。操作部４１は、例えば図７（Ｂ）に関して前述したヘッド部２の操作部２１と同様に、「切」ボタン４１Ａ、流量アップボタン４１Ｃ、及び流量ダウンボタン４１Ｄを有することができ、これらボタンは制御部５と接続している。使用者は操作部４１から吐止水等の指示情報を入力し、その後この指示情報は制御部５に伝送される。そして、制御部５は指示情報を基に弁部６の動作を制御する。このようにカウンター１０にも操作部を設けることにより、使用者はヘッド部２の操作部２１と、カウンター１０の操作部４１と、の両方から吐止水や吐水流量に係る操作を行うことができる。
【００３２】
また、図６に示したように、操作部４１、制御部５、弁部６などに電気を供給する電源部８を設けることができる。電源部８は、前述したヘッド部２の電源部と同様に、例えば電池、発電機などを有し、また必要に応じ蓄電器（キャパシタ等）を有する。あるいは、商用電源（交流電源）を用いる構成でもよい。
【００３３】
図６に表したように、ケーシング４は、制御部５、弁部６、及び／または電源部８を格納することができる。このように、ケーシング４が制御部５等を格納する構成にすることで、受信部４０と制御部５とを結ぶ配線や、制御部５と弁部６とを結ぶ配線などが外部に露出しないようにすることができる。このため、ケーシング４において部材間の接合部を低減することができ、ケーシング４内部へ水が進入する可能性を低減することができる。これにより、ケーシング４内の構成要素や配線の汚損等を抑制することができる。
【００３４】
図６に表したように、本具体例では、弁部６は３つの電磁弁６Ａ、６Ｂ、６Ｃを有する。なお、電磁弁の設置数は、３つに限定されず、２つ以下であってもよいし４つ以上であってもよい。但し、説明の便宜上、本実施形態では、３つの電磁弁が設置された場合を例に挙げて説明する。
【００３５】
電磁弁６Ａ、６Ｂ、６Ｃが閉止された状態において、使用者が例えば図５（Ａ）に示した流調ボタン２１Ｂを押すと、送信部２０は「流量を大きくする」という意味を有する赤外線信号を発信する。受信部４０がこの赤外線信号を受信すると、制御部５は、電磁弁６Ａを開放する。これにより、例えば約６リットル／分程度の吐水流量（弱流量）の水が、ヘッド部２から吐水される。
【００３６】
続いて、使用者が流調ボタン２１Ｂを再度押すと、電磁弁６Ａが開放された場合と同様にして、制御部５は、電磁弁６Ｂを開放する。これにより、電磁弁６Ａ、６Ｂが開放されたことになり、例えば約８リットル／分程度の吐水流量（中流量）の水が、ヘッド部２から吐水される。続いて、使用者が流調ボタン２１Ｂを再度押すと、電磁弁６Ａ、６Ｂが開放された場合と同様にして、制御部５は、電磁弁６Ｃを開放する。これにより、電磁弁６Ａ、６Ｂ、６Ｃが開放されたことになり、例えば約１０リットル／分程度の吐水流量（強流量）の水が、ヘッド部２から吐水される。
【００３７】
続いて、使用者が流調ボタン２１Ｂを再度押すと、制御部５は、電磁弁６Ｃを閉止する。これにより、電磁弁６Ａ、６Ｂが開放されていることになり、「中流量」の水がヘッド部２から吐水される。以下、使用者が流調ボタン２１Ｂを押すごとに、「弱流量」と、「中流量」と、「強流量」と、が順次往復するように切り替えられる。
【００３８】
そして、温水は、弁部６からホース部３、さらにヘッド部２へと送られ、シャワー水などとして吐出される（図１参照）。
【００３９】
図７は、ケーシング４を浴室内に配置した場合の、吐水装置１を浴室に配置した状況を例示する模式斜視図である。ケーシング４を浴室内に配置する事で、浴室壁裏の壁内奥行に関する長さの制約を考慮する必要が無く、施工が容易になる。
【００４０】
図７において、図示しない給水路及び給湯路から供給された冷水や湯は、ミキシングサーモ（冷水と湯を混合して所定の温度の温水を生成する装置）９により所定の温度の温水となる。この温水が弁部６（電磁弁６Ａ、６Ｂ、６Ｃ）に送られ、これにより所望の水温でヘッド部２から吐水を行うことができる。
【００４１】
図８は、受信窓４４Ａ、４４Ｂと複数設けた状況を例示する模式斜視図である。受信窓４４は単数または複数設けた場合は、赤外線信号が受信部４０に到達する経路が多くなるため受信性能が高くなる。また、単数または複数の受信窓４４（受信窓４４Ａ及び／または４４Ｂ）を水平方向に対して略２０〜８０度、より好ましくは略３０〜６０度傾ければ、赤外線信号は天井面、床面、壁面等あらゆる方向から受信窓４４に入射することができるため、受信部４０は良好に赤外線信号を受信することができる。
【００４２】
また図８に示したように、受信窓４４Ａ、４４Ｂの内側には、それぞれ受信部４０Ａ、４０Ｂが設けられている。受信部４０Ａ、４０Ｂは、赤外線を感知するフォトダイオードなどの受信素子を有することができる。受信部４０Ａ、４０Ｂは、それぞれ受信窓４４Ａ、４４Ｂを透過した赤外線信号を受信する。そして、受信部４０Ａ、４０Ｂが受信した赤外線信号は、制御部５に伝送される。制御部５は、受理した赤外線信号を基に弁部６を制御する。これにより、吐止水や吐水流量が制御される。
【００４３】
図９は、ケーシング４をカウンター１０内に配置した場合の、吐水装置１を浴室に配置した状況を例示する模式斜視図である。ケーシング４をケーシング１０内に配置する事で、一体になり、すっきりした構造となることから、ケーシング４及びその周辺への汚れの付着を抑制することができるとともに、構成部材の継ぎ目からの水の進入を抑制することができる。
【００４４】
図１０（Ａ）、（Ｂ）、（Ｃ）に示すように、ケーシング４には受信窓４４が設けられている。受信窓４４は、例えば可視光を遮断する材料を含む材料からなり、これにより赤外線を選択的に透過することができる。  
また、受信窓４４の表面に撥水性の機能を持たせてもよい。ここで、撥水性とは、受信窓４４に水滴が付着している場合において、水滴と受信窓４４とが接する位置における水滴表面の接線と受信窓４４の表面とがなす角（接触角）が大きいものをいう。例えば、接触角が１００度程度のものでよい。具体的には、例えばシリコン系やフッ素系の透明コーティング剤を用いて受信窓４４の表面をコーティングすることで、受信窓４４の表面に撥水性の機能を持たせることができる。
【００４５】
図１０（Ａ）はカウンターの前面に、受信窓４４が水平方向に対して垂直に設けられており、これにより、前述したように受信窓４４に水垢が発生することを抑制することができる。このため、水垢による赤外線信号の受信不良を抑制することができ、受信性能が適切に確保される。
【００４６】
図１０（Ｂ）はカウンターの前面が傾斜しており、受信窓４４がカウンターの前面に水平方向に対して傾斜して設けられており、これにより、前述したように受信窓４４に水垢が発生することを抑制することができる。このため、水垢による赤外線信号の受信不良を抑制することができ、受信性能が適切に確保される。
【００４７】
図１０（Ｃ）はカウンターの下面に、受信窓４４が水平方向に対して下方に設けられており、これにより、受信窓４４に上部からの水や湯の飛沫、身体洗浄用の洗剤等がかからず、水垢が発生することを抑制することができる。このため、水垢による赤外線信号の受信不良を抑制することができ、受信性能が適切に確保される。
【００４８】
以上説明したように、本実施形態によれば、赤外線リモコン信号の受信性に優れ、もって操作性に優れた吐水装置が提供される。これにより、使用者はハンドシャワーなどを使用しながら吐止水や流量調節などの各種操作を円滑に行うことができる。本実施形態は、浴室のシャワー装置やキッチンカウンターに設置される吐水装置等に好適に用いることができる。
【００４９】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。前述した各具体例が備える各要素およびその配置、材料、条件、形状、サイズなどは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５０】
１  吐水装置、２  ヘッド部、２Ａ  把持部、２Ｂ  吐水面、２Ｃ  先端部、３  ホース部、４  ケーシング、５  制御部、６  弁部、６Ａ、６Ｂ、６Ｃ  電磁弁、７  水栓部、８  電源部、９  ミキシングサーモ、１０  カウンター、２０、２０Ａ、２０Ｂ  送信部、２１  操作部、２１Ａ  「切」ボタン、２１Ｂ  流調ボタン、２１Ｃ  流量アップボタン、２１Ｄ  流量ダウンボタン、４０、４０Ａ、４０Ｂ  受信部、４１  操作部、４１Ａ  「切」ボタン、４１Ｃ  流量アップボタン、４１Ｄ  流量ダウンボタン、４４、４４Ａ、４４Ｂ  受信窓、１００  浴室、１０１  床面、１０２  壁面、１０３  天井面、１０４  浴槽、１０５  照明灯、１０６  鏡、Ａ  赤外線信号
【図１】
2011074596.tif 000003
【図２】
2011074596.tif 000004
【図３】
2011074596.tif 000005
【図４】
2011074596.tif 000006
【図５】
2011074596.tif 000007
【図６】
2011074596.tif 000008
【図７】
2011074596.tif 000009
【図８】
2011074596.tif 000010
【図９】
2011074596.tif 000011
【図１０】
2011074596.tif 000012